(57)【要約】【課題】複数の外装部から外装を形成する場合、外装の部位によっては強度が不足する場合がある。【解決手段】携帯機器は、第１外装部と、前記第１外装部とともに前記携帯機器の外観を提供する第２外装部とを備え、前記第１外装部は、前記第２外装部との合わせ面に沿って延伸し、前記合わせ面に垂直な断面において前記合わせ面から突出した形状の第１突出部を有し、第２外装部は、前記第１突出部を挟んで固定する第１固定部を有する。【選択図】図５
2015045753.tif 000002
【特許請求の範囲】
【請求項１】
携帯機器であって、
第１外装部と、
前記第１外装部とともに前記携帯機器の外観を提供する第２外装部と
を備え、
前記第１外装部は、前記第２外装部との合わせ面に沿って延伸し、前記合わせ面に垂直な断面において前記合わせ面から突出した形状の第１突出部を有し、
第２外装部は、前記第１突出部を挟んで固定する第１固定部を有する
携帯機器。
【請求項２】
前記第１外装部は、金型を用いて成形材料を成形することにより形成され、
前記第１突出部は、前記金型のゲートに残存した前記成形材料から形成される
請求項１に記載の携帯機器。
【請求項３】
前記第１外装部は、導電性を有する樹脂から形成される
請求項２に記載の携帯機器。
【請求項４】
前記第１固定部は、前記突出部に嵌合する凹部を有する
請求項３に記載の携帯機器。
【請求項５】
前記第１外装部は、前記合わせ面に垂直な断面において前記合わせ面から突出した第２突出部をさらに有し、
前記第２外装部は、前記第２突出部を挟んで固定する第２固定部をさらに有する
請求項１から４のいずれか一項に記載の携帯機器。
【請求項６】
前記第１外装部は、外部機器を着脱可能なアクセサリシューを固定するためのシュー固定部を有し、
前記第１突出部は、前記シュー固定部に設けられる
請求項５に記載の携帯機器。
【請求項７】
前記第１突出部は、ユーザが前記携帯機器を把持した場合に前記ユーザの手で挟まれる部位に設けられる
請求項６に記載の携帯機器。
【発明の詳細な説明】
【技術分野】
【０００１】
本発明は、携帯機器に関する。
【背景技術】
【０００２】
金属からなる前カバーと金属からなる後カバーとが、外装ビスによってメインシャーシへと電気的な接続が行われた撮像装置が知られている（例えば、特許文献１参照。）。
［先行技術文献］
［特許文献］
［特許文献１］特開２００８−２０３６３２号公報
【発明の概要】
【発明が解決しようとする課題】
【０００３】
複数の外装部から外装を形成する場合、外装の部位によっては強度が不足する場合がある。
【課題を解決するための手段】
【０００４】
第１の態様においては、携帯機器は、第１外装部と、前記第１外装部とともに前記携帯機器の外観を提供する第２外装部とを備え、前記第１外装部は、前記第２外装部との合わせ面に沿って延伸し、前記合わせ面に垂直な断面において前記合わせ面から突出した形状の第１突出部を有し、第２外装部は、前記第１突出部を挟んで固定する第１固定部を有する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置２０００の模式的な断面図である。
【図２】撮像装置２０００の斜視図を示す。
【図３】上カバー２０３２、後カバー２０３３およびアイカップ１５５２の分解斜視図である。
【図４】上カバー２０３２および後カバー２０３３の分解斜視図である。
【図５】突出部１５００および凹部１５０２を含む位置でｙｚ面に平行な断面で切断した断面図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置２０００の模式的な断面図である。撮像装置２０００は、一眼レフレックスカメラである。撮像装置２０００は、レンズユニット２０１０およびカメラ本体２０２０を備える。レンズユニット２０１０は、交換レンズである。レンズユニット２０１０は、カメラ本体２０２０に着脱可能である。図１は、カメラ本体２０２０にレンズユニット２０１０が装着された状態を撮像装置２０００として示す。
【０００９】
カメラ本体２０２０は、ボディ側マウント２０２２と、カバー部２０３０と、ボディ部２０４０と、ミラーユニット２０４２と、シャッタユニット２０２３と、撮像ユニット２１００と、処理ユニット２４００と、表示ユニット２０２４と、ファインダユニット２０６０と、ファインダ窓２０６４と、レンズ駆動ユニット２０２５と、焦点検出ユニット２０２６とを有する。レンズユニット２０１０は、ボディ側マウント２０２２に装着される。
【００１０】
カバー部２０３０は、撮像装置２０００の外観を提供する。カバー部２０３０は、前カバー２０３１と、上カバー２０３２と、後カバー２０３３とを有する。ボディ部２０４０と、ミラーユニット２０４２と、シャッタユニット２０２３と、撮像ユニット２１００と、処理ユニット２４００と、ファインダユニット２０６０と、レンズ駆動ユニット２０２５と、焦点検出ユニット２０２６とは、前カバー２０３１、上カバー２０３２および後カバー２０３３によって実質的に覆われる。
【００１１】
撮像装置２０００に係る構成を説明する場合に、レンズユニット２０１０の光軸Ｘに沿う方向をｚ軸方向と定める。すなわち、被写体光束が入射する方向をｚ軸方向と定める。被写体光束が入射する方向をｚ軸マイナス方向と定め、その反対方向をｚ軸プラス方向と定める。また、図１に図示した方向にｘ軸方向およびｙ軸方向を定める。ｘ軸、ｙ軸、ｚ軸は右手系の直交座標系である。また、ｚ軸プラス方向を前方、前側等と呼ぶ場合がある。また、ｚ軸マイナス方向を後方、後側等と呼ぶ場合がある。また、ｙ軸プラス方向を上方、上側、上部等と呼ぶ場合がある。ｙ軸プラス方向を下方、下側、下部等と呼ぶ場合がある。
【００１２】
レンズユニット２０１０は、レンズ側マウント２０１２と、光学系２０１４とを有する。光学系２０１４は、レンズ群２０１５と、レンズ群２０１６とを含む。レンズ群２０１５およびレンズ群２０１６は、ｚ軸マイナス方向に沿って、レンズ群２０１５、レンズ群２０１６の順で、光軸Ｘに沿って設けられる。レンズ側マウント２０１２は、光学系２０１４より後側に設けられる。レンズ側マウント２０１２は、カメラ本体２０２０の前面に配されたボディ側マウント２０２２と嵌合することにより、レンズユニット２０１０がカメラ本体２０２０に装着される。
【００１３】
レンズ群２０１６は、光軸Ｘに沿って移動可能に設けられる。レンズ群２０１６が光軸Ｘに沿って移動することにより、光学系２０１４の焦点距離、合焦位置が変化する。レンズ群２０１６は、レンズ駆動ユニット２０２５の制御によって、光軸Ｘに沿って移動する。レンズユニット２０１０は、レンズ群２０１５およびレンズ群２０１６を通過した被写体光束を出射する。
【００１４】
カメラ本体２０２０において、ボディ部２０４０の上方には、ファインダユニット２０６０が固定される。ファインダユニット２０６０は、フォーカシングスクリーン２０６１と、ペンタプリズム２０６２と、ファインダレンズ系２０６３と、測光ユニット２０６７とを有する。測光ユニット２０６７は、測光光学系２０６８と、測光センサ２０６９とを含む。
【００１５】
ボディ部２０４０内には、ミラーユニット２０４２が設けられる、ミラーユニット２０４２は、メインミラー２０４３と、サブミラー２０４４とを含む。
【００１６】
ミラーユニット２０４２は、レンズユニット２０１０が出射した被写体光束の光路中に進入した状態と、被写体光束の光路から退避した状態とをとる。図１は、ミラーユニット２０４２が被写体光束の光路中に進入した状態を示す。具体的には、メインミラー２０４３は、レンズユニット２０１０が出射した被写体光束の光路中に進入した進入位置と、被写体光束の光路から退避した退避位置との間で、回転可能に軸支される。サブミラー２０４４は、メインミラー２０４３に対して回転可能に軸支される。サブミラー２０４４は、メインミラー２０４３とともに被写体光束中に進入し、メインミラー２０４３とともに被写体光束から退避する。
【００１７】
メインミラー２０４３が進入位置にある場合、メインミラー２０４３に入射した被写体光束の一部は、メインミラー２０４３に反射されてフォーカシングスクリーン２０６１に導かれる。フォーカシングスクリーン２０６１は、撮像ユニット２１００が有する撮像素子２１３０の撮像面と共役な位置に配されて、レンズユニット２０１０が有する光学系２０１４が形成した被写体像を可視化する。フォーカシングスクリーン２０６１に形成された被写体像の光束は、ペンタプリズム２０６２に導かれる。ペンタプリズム２０６２に導かれた光束の一部の光束は、ペンタプリズム２０６２およびファインダレンズ系２０６３を通じてファインダ窓２０６４から出射して、被写体として観察され得る。ファインダ窓２０６４は、後カバー２０３３に対して固定されている。
【００１８】
メインミラー２０４３が進入位置にある場合、メインミラー２０４３に入射した被写体光束のうちメインミラー２０４３で反射した被写体光束以外の光束は、サブミラー２０４４に入射する。具体的には、メインミラー２０４３はハーフミラー領域を有し、メインミラー２０４３のハーフミラー領域を透過した被写体光束がサブミラー２０４４に入射する。ハーフミラー領域を透過しサブミラー２０４４で反射した被写体光束は、焦点検出ユニット２０２６に入射する。焦点検出ユニット２０２６は、入射した光束を検出して被写体に対する焦点状態を示す情報を出力する焦点検出センサ部２０２７を有する。焦点検出センサ部２０２７は、焦点状態の検出結果を処理ユニット２４００へ出力する。処理ユニット２４００は、焦点状態の検出結果に基づいて焦点調節を行う。例えば、処理ユニット２４００は、焦点状態の検出結果に基づいてレンズ駆動ユニット２０２５を制御して、レンズ群２０１６を移動させる。
【００１９】
ペンタプリズム２０６２に導かれた光束の一部の光束は、測光光学系２０６８を通じて測光センサ２０６９に入射する。測光センサ２０６９は、入射した光束を受光して、被写体の光量を検出する。測光センサ２０６９は、被写体の光量の検出結果を処理ユニット２４００へ出力する。処理ユニット２４００は、被写体の光量の検出結果に基づいて露出調節を行う。例えば、処理ユニット２４００は、被写体の光量の検出結果に基づいて、レンズユニット２０１０の絞り、露出時間、撮像素子２１３０の感度の少なくとも一つを制御する。
【００２０】
ミラーユニット２０４２が被写体光束から退避し、シャッタユニット２０２３の先幕および後幕が開状態となれば、レンズユニット２０１０を透過する被写体光束は、シャッタユニット２０２３の後方に配置された撮像ユニット２１００に入射して、有する撮像素子２１３０の撮像面に到達する。
【００２１】
撮像ユニット２１００の後方には、処理ユニット２４００および表示ユニット２０２４が順次配置される。表示ユニット２０２４としては、液晶パネル等を適用できる。表示ユニット２０２４の表示面は、カメラ本体２０２０の背面に現れる。表示ユニット２０２４は、撮像素子２１３０からの出力信号から生成される画像を表示する。表示ユニット２０２４は、後カバー２０３３に固定される。表示ユニット２０２４は、後カバー２０３３に締結されて固定される。
【００２２】
処理ユニット２４００には、ＭＰＵ、ＡＳＩＣ等の電子回路が実装される。ＭＰＵは、撮像装置２０００の全体の制御を担う。撮像素子２１３０からの出力信号は、フレキシブルプリント基板２１８０を介してＡＳＩＣへ出力される。ＡＳＩＣは、撮像素子２１３０から出力された出力信号を処理する。
【００２３】
ＡＳＩＣは、撮像素子２１３０からの出力信号に基づいて、表示用の画像データを生成する。表示ユニット２０２４は、ＡＳＩＣが生成した表示用の画像データに基づいて画像を表示する。ＡＳＩＣは、撮像素子２１３０からの出力信号に基づいて、記録用の画像データを生成する。ＡＳＩＣが生成した記録用の画像データは、カメラ本体２０２０に装着された記録媒体に記録される。カメラ本体２０２０には記録媒体が着脱可能に設けられる。
【００２４】
前カバー２０３１、上カバー２０３２および後カバー２０３３は樹脂で形成される。前カバー２０３１、上カバー２０３２および後カバー２０３３は、導電性を有する樹脂で形成される。前カバー２０３１、上カバー２０３２および後カバー２０３３は、樹脂成形により形成される。ボディ側マウント２０２２は金属で形成される。ボディ側マウント２０２２は、環形状を有するマウントリングである。ボディ部２０４０は、樹脂で形成される。ボディ側マウント２０２２は、ボディ部２０４０の剛性より高い剛性を有する。
【００２５】
カバー部２０３０において、前カバー２０３１は、ボディ側マウント２０２２の近傍においてボディ部２０４０に固定される。前カバー２０３１は、ボディ部２０４０においてボディ側マウント２０２２が締結された部位およびボディ側マウント２０２２の少なくとも一方に締結される。例えば、前カバー２０３１は、ボディ側マウント２０２２に締結される。より具体的には、前カバー２０３１は、ボディ側マウント２０２２およびボディ部２０４０と共締めされる。前カバー２０３１は、ボディ側マウント２０２２とボディ部２０４０との間に挟まれた状態で、ボディ側マウント２０２２およびボディ部２０４０と共締めされてよい。前カバー２０３１は、ボディ側マウント２０２２をボディ部２０４０に締結するビスにより、ボディ側マウント２０２２およびボディ部２０４０と共締めされる。
【００２６】
カバー部２０３０はモノコック構造を有する。上カバー２０３２は、前カバー２０３１および後カバー２０３３と締結される。後カバー２０３３は、前カバー２０３１および上カバー２０３２と締結される。前カバー２０３１、上カバー２０３２および後カバー２０３３は、前カバー２０３１、上カバー２０３２および後カバー２０３３で形成されるカバー部２０３０がモノコック構造を有するように、それぞれ他のカバーと締結される。
【００２７】
前カバー２０３１は、ボディ側マウント２０２２の近傍以外の部位では、ボディ部２０４０に締結されていない。また、前カバー２０３１は、ボディ側マウント２０２２を除いて、ボディ部２０４０と締結された他の部材に締結されていない。上カバー２０３２および後カバー２０３３は、ボディ部２０４０と締結されていない。上カバー２０３２および後カバー２０３３は、前カバー２０３１を除いて、ボディ部２０４０と締結された他の部材に締結されていない。したがって、カバー部２０３０は、ボディ側マウント２０２２の近傍の部位でのみ、ボディ部２０４０に締結されている。
【００２８】
ボディ側マウント２０２２がボディ部２０４０と締結されることで、ボディ部２０４０においてボディ側マウント２０２２が締結された部位およびその近傍の部位の剛性が高まる。したがって、カバー部２０３０は、ボディ部２０４０において高い剛性を有する部位に締結される。ボディ部２０４０は、他の部位では前カバー２０３１、上カバー２０３２および後カバー２０３３のいずれとも締結されていない。
【００２９】
また、カバー部２０３０はモノコック構造を有するので、前カバー２０３１、上カバー２０３２および後カバー２０３３のいずれかに加わった応力を、前カバー２０３１、上カバー２０３２および後カバー２０３３の全体で受け持つことができるとともに、前カバー２０３１、上カバー２０３２および後カバー２０３３のいずれかに加わった応力は、ボディ部２０４０においてボディ側マウント２０２２が固定されることによって剛性が高まった部位に集中的に伝達される。そのため、前カバー２０３１、上カバー２０３２および後カバー２０３３のいずれかに加わった応力がボディ部２０４０の他の部位に伝達される場合と比べて、その応力が撮像ユニット２１００の位置決め精度に与える影響を軽減できる。
【００３０】
図２は、撮像装置２０００の斜視図を示す。図３は、上カバー２０３２、後カバー２０３３およびアイカップ１５５２の分解斜視図である。図４は、上カバー２０３２および後カバー２０３３の分解斜視図である。
【００３１】
撮像装置２０００は、視度調整部材１５５０と、アイカップ１５５２とをさらに備える。アイカップ１５５２には、ファインダ窓２０６４が固定されている。
【００３２】
後カバー２０３３を上カバー２０３２に組み付ける前に、ビス１５５３およびビス１５５４により後カバー２０３３の内側からアイカップ１５５２が後カバー２０３３に固定される。具体的には、アイカップ１５５２が有する孔１５５５にビス１５５３が挿入されてアイカップ１５５２が後カバー２０３３に締結される。アイカップ１５５２が有する孔１５５６にビス１５５４が挿入されてアイカップ１５５２が後カバー２０３３に締結される。
【００３３】
そして、後カバー２０３３は、ビス１５４０により上カバー２０３２に締結される。具体的には、後カバー２０３３は、後カバー２０３３が有する孔１５４１および上カバー２０３２が有する孔１５４２にビス１５４０が挿入されて、ビス１５４０により上カバー２０３２に締結される。このように、後カバー２０３３は上カバー２０３２に直接に固定される。
【００３４】
また、ビス１５４４によって、後カバー２０３３は視度調整部材１５５０を間に挟んだ状態で上カバー２０３２に取付けられる。ビス１５４４は段付きビスであり、視度調整部材１５５０はビス１５４４の周りに回転可能に設けられる。
【００３５】
上カバー２０３２は、後カバー２０３３との合わせ部分に突出部１５００および突出部１５１０をさらに有する。突出部１５００および突出部１５１０は、ｚｙ平面に略平行な合わせ面上をｘ軸方向に延伸している。突出部１５００は、後カバー２０３３が上カバー２０３２との合わせ面に有する凹部１５０２に嵌る。突出部１５１０は、後カバー２０３３が上カバー２０３２との合わせ面に有する凹部１５１２に嵌る。これにより、上カバー２０３２を後カバー２０３３に強く固定することができる。
【００３６】
図５は、突出部１５００および凹部１５０２を含む位置でｙｚ面に平行な断面で切断した断面図である。
【００３７】
上カバー２０３２は、ｘｚ平面に略平行な第１面１５２１と、第１面１５２１のｚ軸プラス側の端部からｙ軸プラス方向に傾いて延伸する第２面１５２２と、第２面１５２２とは反対側の第３面１５２３と、第３面１５２３のｙ軸マイナス側の端部からｘｚ平面に略平行にｚ軸マイナス方向に延伸する第４面１５２４と、第４面１５２４のｚ軸マイナス側の端部からｙ軸プラス方向に延伸する第５面１５２５と、第５面１５２５のｙ軸プラス側の端部からｘｚ平面に略平行にｚ軸プラス方向に延伸する第６面１５２６と、第６面１５２６のｚ軸プラス側の端部からｙ軸プラス方向に延伸する第７面１５２７とを有する。第７面１５２７は、ｙ軸プラス側の端部において第１面１５２１に接続する。
【００３８】
突出部１５００は、第２面１５２２よりｚ軸マイナス方向に突出している。突出部１５００は、第１面１５２１と、第７面１５２７と、第６面１５２６と、第５面１５２５と、第４面１５２４とにより形成される。このように、上カバー２０３２は、後カバー２０３３との合わせ面において、Ｌ字状の断面形状を有する。
【００３９】
後カバー２０３３は、上カバー２０３２の第１面１５２１に接触する第１面１５３１と、第１面１５３１に接続し上カバー２０３２の第５面１５２５に対向する第２面１５３２と、上カバー２０３２の第４面１５２４に接する第３面１５３３とを有する。突出部１５００は、第１面１５３１と第３面１５３３とに挟まれて固定される。
【００４０】
突出部１５１０は、突出部１５００と同様の形状を有する。凹部１５１２は、凹部１５０２と同様の形状を有する。そのため、突出部１５１０および凹部１５１２の説明は省略する。
【００４１】
このように、上カバー２０３２は、突出部１５００が後カバー２０３３の凹部１５０２に挿入され、突出部１５１０が後カバー２０３３の凹部１５１２に挿入される。そのため、上カバー２０３２と後カバー２０３３との結合強度を高めることができる。
【００４２】
上カバー２０３２は、射出成形で樹脂材料を成形することにより成形される。突出部１５００および突出部１５１０は、上カバー２０３２を成形する場合に、金型のゲート部分に残存した樹脂材料によって形成される。このように、上カバー２０３２においては、ゲート部分の樹脂材料で形成された部分は、切除されることなく、後カバー２０３３との接続部分として使用される。そのため、ゲート部分の樹脂材料で形成された部分を除去するコストを削減できる。
【００４３】
上カバー２０３２および後カバー２０３３は、導電性の樹脂材料で形成される。具体的には、上カバー２０３２および後カバー２０３３は、例えばカーボン等の導電性フィラーを含む樹脂材料で形成される。カーボン等の導電性材料を含む樹脂材料を射出成形する場合、金型のゲート付近には、導電性材料が析出し易い。上カバー２０３２は、ゲート部分の導電性の樹脂材料で形成された突出部１５００および１５１０を後カバー２０３３に接触させるので、上カバー２０３２と後カバー２０３３との間の電気抵抗を小さくすることができる。そのため、上カバー２０３２および前カバー２０３１を接地導体に電気的に短絡することで、撮像装置２０００の全体の接地電位を強化することができる。
【００４４】
また、突出部１５００は、凹部１５０２に囲まれている。そのため、突出部１５００からバリ、ケバ等が凹部１５０２の外に脱落することを抑制できる。例えば、突出部１５００からバリ、ケバ等が脱落することで、撮像ユニット２１００や処理ユニット２４００等に設けられた電子部品がショートしてしまうことを抑制できる。また、カバー部２０３０の内部に脱落して撮像系に影響することを抑制できる。
【００４５】
図５に示されるように、突出部１５００から上カバー２０３２本体部にかけて、Ｌ字形状断面形状を有する。突出部１５１０についても同様である。突出部１５００の成形を例に挙げると、成形時に金型のゲート部分からキャビティに流入した溶融樹脂は、上カバー２０３２の第３面１５２３を形成する金型面に当たって、ｙ軸上方に対応する方向に流れる。そのため、係る金型によれば、上カバー２０３２の全体に溶融樹脂が広がるように溶融樹脂を流動させることができる。
【００４６】
突出部１５００は、後カバー２０３３との合わせ面において、アクセサリを装着するアクセサリシューを固定する部位の近傍に設けられる。そのため、撮像装置２０００にアクセサリを装着する場合に加わる力によって、上カバー２０３２が大きく変形することを抑制できる。また、撮像装置２０００に重いアクセサリを装着した場合、アクセサリから受ける力によって、上カバー２０３２が大きく変形することを抑制できる。
【００４７】
突出部１５１０は、後カバー２０３３との合わせ面において、ユーザが把持するグリップ部が位置する側に設けられる。後カバー２０３３は、グリップ部を把持するユーザの親指を乗せる指当てを固定する部分１５１８が設けられる。ユーザが撮像装置２０００のグリップ部を強く把持すると、後カバー２０３３には、ユーザの親指によりｚ軸プラス方向の力が加わる。一方、上カバー２０３２には、ユーザの他の指によりｚ軸マイナス方向の力が加わる。しかし、突出部１５１０は、ユーザがグリップ部を把持した場合にユーザの手に挟まれる位置に設けられるので、ユーザが把持する力によって上カバー２０３２が大きく変形することを抑制できる。
【００４８】
以上に説明したように、後カバー２０３３との合わせ面において、撮像装置２０００の使用時に力がかかる部位に優先して金型のゲートを配置して、ゲートに残留した溶融樹脂で形成された部位を後カバー２０３３との結合部として使用することで、上カバー２０３２と後カバー２０３３との結合強度を高めることができる。また、ゲートに残留した溶融樹脂で形成された部位を切除する工程をなくすことができる。
【００４９】
本実施形態においては、レンズユニットをするカメラ本体を取り上げて、撮像装置２０００が有する構成を説明した。しかし、撮像装置とは、レンズユニットを有しないカメラ本体を含む概念である。また、撮像装置とは、レンズ交換式カメラの一例である一眼レフレックスカメラの他に、レンズ非交換式の種々の態様のカメラを含む概念である。
【００５０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５１】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５２】
１５００  突出部
１５０２  凹部
１５１０  突出部
１５１２  凹部
１５１８  部分
１５２１  第１面
１５２２  第２面
１５２３  第３面
１５２４  第４面
１５２５  第５面
１５２６  第６面
１５２７  第７面
１５３１  第１面
１５３２  第２面
１５３３  第３面
１５４０  ビス
１５４１、１５４２  孔
１５４４  ビス
１５５０  視度調整部材
１５５２  アイカップ
１５５３、１５５４  ビス
１５５５、１５５６  孔
２０００  撮像装置
２０１０  レンズユニット
２０１２  レンズ側マウント
２０１４  光学系
２０１５、２０１６  レンズ群
２０２０  カメラ本体
２０２２  ボディ側マウント
２０２３  シャッタユニット
２０２４  表示ユニット
２０２５  レンズ駆動ユニット
２０２６  焦点検出ユニット
２０２７  焦点検出センサ部
２０３０  カバー部
２０３１  前カバー
２０３２  上カバー
２０３３  後カバー
２０４０  ボディ部
２０４２  ミラーユニット
２０４３  メインミラー
２０４４  サブミラー
２０６０  ファインダユニット
２０６１  フォーカシングスクリーン
２０６２  ペンタプリズム
２０６３  ファインダレンズ系
２０６４  ファインダ窓
２０６７  測光ユニット
２０６８  測光光学系
２０６９  測光センサ
２１００  撮像ユニット
２１３０  撮像素子  
２１８０  フレキシブルプリント基板
２４００  処理ユニット
【図１】
2015045753.tif 000003
【図２】
2015045753.tif 000004
【図３】
2015045753.tif 000005
【図４】
2015045753.tif 000006
【図５】
2015045753.tif 000007